(57)【要約】  【課題】  コルゲート管同士を容易に連結でき、かつ、何種類ものコルゲート管に対して活用可能な連結具を提供する。【解決手段】  連結具２０は、基部３０と、複数の挟部３２とを備える。この連結具２０において、挟部３２がコルゲート管の端部を挟む。挟部３２は基部３０からそれぞれ突出するように設けられる。これにより、コルゲート管の端部を挟部３２が挟むとコルゲート管同士を連結できることとなる。コルゲート管の端部を挟部３２が挟むことによりコルゲート管同士を連結できるので、コルゲート管同士を連結するための作業が容易となる。さらに、コルゲート管の端部を挟部３２が挟むことによりコルゲート管同士を連結するので、外径および内径ならびに形状といったコルゲート管の要素がコルゲート管の連結に与える影響は少ない。【選択図】      図１
2012253863.tif 000002
【特許請求の範囲】
【請求項１】
互いに交互に連なる山部と谷部とを有しているコルゲート管同士を配線が貫通できるよう連結する連結具であって、
前記連結具が、
基部と、
前記基部からそれぞれ突出するように設けられて前記コルゲート管の端部を挟む複数の挟部とを備えることを特徴とする連結具。
【請求項２】
前記挟部が互いに対向する複数の柱状部材を有することを特徴とする請求項１に記載の連結具。
【請求項３】
前記複数の柱状部材のいずれかが他の前記柱状部材と対向する突起を有することを特徴とする、請求項２に記載の連結具。
【請求項４】
前記複数の柱状部材のいずれかが他の前記柱状部材と対向する平面を有することを特徴とする、請求項２に記載の連結具。
【請求項５】
前記基部が貫通路を有することを特徴とする請求項１に記載の連結具。
【請求項６】
前記連結具が、孔を有する板の前記孔を貫通して前記孔の縁に引っ掛る引掛部をさらに備えることを特徴とする請求項１に記載の連結具。
【発明の詳細な説明】
【技術分野】
【０００１】
本発明は、コルゲート管同士を容易に連結でき、かつ、何種類ものコルゲート管に対して活用可能な連結具に関するものである。
【背景技術】
【０００２】
特許文献１には分岐部用プロテクタが開示されている。この分岐部用プロテクタは、分岐点近くまでそれぞれコルゲート管で被覆されたワイヤハーネスの分岐部に用いる。この分岐部用プロテクタは、形状記憶樹脂シートを備える。この形状記憶樹脂シートは、ワイヤハーネスの分岐部における幹線側ワイヤハーネスの外周を一方のコルゲート管から他方のコルゲート管にわたって包囲する。さらに、この形状記憶樹脂シートは、加熱によりコルゲート管の周方向に収縮する。この形状記憶樹脂シートの収縮方向両端部には係止部が設けられる。係止部は、形状記憶樹脂シートの両端部同士を相互に連結する構造となっている。その形状記憶樹脂シートの両端部に切欠凹部を形成している。切欠凹部は、両端部同士が連結された状態で分岐側ワイヤハーネスのコルゲート管の貫通孔となる。特許文献１に示された発明によれば、いかなる口径のコルゲート管にも簡単に適応でき、しかも製作種類が少なくて済む、分岐部用プロテクタを提供できる。
【０００３】
特許文献２にはワイヤハーネス用コルゲート管構造が開示されている。この構造は分岐部分に関する構造である。この構造は、拡大分岐部分に保護シートを巻付けてそれが有する粘着層により拡大接続部分の外周を包み込み貼着したことを特徴とする。拡大分岐部分とは、管継手とその近傍の可撓性管とを含む部分のことである。特許文献２に示された発明によれば、拡大分岐部分の連結状態が強く固定される。連結状態が強く固定されるので、そこに続くコルゲート管が曲がった状態でそのコルゲート管を配設しても、管接手による連結が外れるおそれが極めて少ない。そのおそれが極めて少ないので、充分な保護機能を奏することができる。
【先行技術文献】
【特許文献】
【０００４】
【特許文献１】特開平３−２６１３１７号公報
【特許文献２】特開平７−２４１０１５号公報
【発明の概要】
【発明が解決しようとする課題】
【０００５】
しかしながら、特許文献１に開示された発明には、装着作業に手間がかかるという問題点がある。この問題点が生じるのは、形状記憶樹脂シートを装着した上でその形状記憶樹脂シートを加熱しなければならないためである。
【０００６】
特許文献２に開示された発明にも、装着作業に手間がかかるという問題点がある。特許文献２においてこの問題点が生じるのは、コルゲート管に管継手をまず接続した上で保護シートを巻付ける必要があるためである。また、特許文献２に開示された発明には、コルゲート管のサイズに応じて多種類の管継手を製作する必要があるという問題点もある。
【０００７】
本発明の目的は、コルゲート管同士を容易に連結でき、かつ、何種類ものコルゲート管に対して活用可能な連結具を提供することにある。
【課題を解決するための手段】
【０００８】
上記目的を達成するために、本発明のある局面に従うと、連結具２０，２２は、互いに交互に連なる山部１０２と谷部１０４とを有しているコルゲート管１００同士を配線１１０が貫通できるよう連結するものである。連結具２０，２２は、基部３０と、複数の挟部３２とを備える。挟部３２は基部３０からそれぞれ突出するように設けられる。挟部３２は、コルゲート管１００の端部を挟む。
【０００９】
上述した連結具２０において、挟部３２がコルゲート管１００の端部を挟む。連結具２０は複数の挟部３２を備える。挟部３２は基部３０からそれぞれ突出するように設けられる。これにより、コルゲート管１００同士を連結できる。つまり、コルゲート管１００の端部を挟部３２が挟むことによりコルゲート管１００同士を連結できるので、コルゲート管１００同士を連結するための作業が容易となる。
【００１０】
コルゲート管１００の端部を挟部３２が挟むことによりコルゲート管１００同士を連結するので、外径および内径ならびに形状といったコルゲート管１００の要素がコルゲート管１００の連結に与える影響は少ない。その結果、本発明にかかる連結具２０，２２は何種類ものコルゲート管１００に対して活用できる。
【００１１】
また、上述した挟部３２が互いに対向する複数の柱状部材４０，４２を有することが望ましい。
【００１２】
互いに対向する複数の柱状部材４０，４２により、コルゲート管１００の端部を内周側と外周側とから挟むことができる。互いに対向する部材によりコルゲート管１００の端部を内周側と外周側とから挟む場合において、互いに対向する複数の柱状部材４０，４２を用いると、例えば湾曲した部材によってコルゲート管１００の端部を内周側と外周側とから挟む場合に比べて、挟部３２がコルゲート管１００の内部を大きく占める可能性は低くなる。その可能性が低くなるので、配線１１０に遮られてコルゲート管１００同士の接続が困難になる可能性も低くなる。コルゲート管１００同士の接続が困難になる可能性が低くなるので、例えば湾曲した部材によってコルゲート管１００の端部を内周側と外周側とから挟む場合に比べて、コルゲート管１００同士を容易に連結できる。
【００１３】
もしくは、上述した複数の柱状部材４０，４２のいずれかが突起５０，６０を有することが望ましい。この突起５０，６０は他の柱状部材４０，４２と対向する。
【００１４】
柱状部材４０が他の柱状部材４２と対向する突起５０を有することにより、挟部３２がコルゲート管１００の端部を挟んだとき、その突起５０はコルゲート管１００の端部を他の柱状部材４２へ押さえつけることがある。柱状部材４２が他の柱状部材４０と対向する突起６０を有することにより、挟部３２がコルゲート管１００の端部を挟んだとき、その突起６０はコルゲート管１００の端部の谷部１０４と噛合うことがある。コルゲート管１００の端部を他の柱状部材４２へ押さえつけた場合も、コルゲート管１００の端部の谷部１０４と突起６０とが噛合った場合も、挟部３２がしっかりとコルゲート管１００を挟むこととなる。
【００１５】
もしくは、上述した複数の柱状部材のいずれか４２が平面６２を有することが望ましい。この平面６２は他の柱状部材４０と対向する。
【００１６】
柱状部材４２の平面６２がコルゲート管１００の山部１０２または谷部１０４に接触すると、摩擦力が生じる。摩擦力が生じるので、コルゲート管１００の端部が挟部３２から抜けることが抑えられる。しかも、山部１０２と谷部１０４とが互いに交互に連なっているので、柱状部材４２の平面６２がコルゲート管１００の山部１０２または谷部１０４に接触すると、複数の箇所で摩擦力が生じる可能性がある。複数の箇所で摩擦力が生じると１箇所で摩擦力が生じる場合よりもコルゲート管１００の端部が挟部３２から抜けることはよく抑えられる。
【００１７】
また、上述した基部３０が貫通路４４を有することが望ましい。基部３０が貫通路４４を有すると、その貫通路４４に結束部材を通してからその結束部材で配線１１０を結束することができる。
【００１８】
もしくは、上述した連結具２２が引掛部３４をさらに備えることが望ましい。引掛部３４は孔を有する板のその孔を貫通してその孔の縁に引っ掛かる。連結具２２が引掛部３４を備えることにより、連結具２２を板に取付けることができる。
【発明の効果】
【００１９】
本発明によれば、コルゲート管同士を容易に連結でき、かつ、何種類ものコルゲート管に対して活用可能な連結具を提供できる。
【図面の簡単な説明】
【００２０】
【図１】本発明の一実施例にかかる連結具の斜視図である。
【図２】本発明の一実施例にかかる連結具を用いて２本のコルゲート管を接続したときのそれらの断面図である。
【図３】本発明の変形例にかかる連結具の斜視図である。
【発明を実施するための形態】
【００２１】
以下、図面を参照しつつ、本発明の実施例について説明する。以下の説明では、同一の部品には同一の符号を付してある。それらの名称および機能も同一である。したがって、それらについての詳細な説明は繰返さない。
【００２２】
［連結具の構成］
図１は、本実施例にかかる連結具２０の斜視図である。図１を参照しつつ、本実施例にかかる連結具２０の構成を説明する。
【００２３】
本実施形態にかかる連結具２０は基部３０と挟部３２とを備える。基部３０の主な役割は挟部３２の基礎となることである。挟部３２は基部３０から突出する。本実施形態の場合、挟部３２は２つ設けられている。挟部３２はコルゲート管１００の端部をその内周側と外周側とから挟む。
【００２４】
基部３０には貫通路４４と移動制限部４６とが設けられている。貫通路４４を周知の結束バンド１２０が貫通する。移動制限部４６は、貫通路４４の内周面に設けられている。移動制限部４６により、結束バンド１２０の自由な移動が制限される。
【００２５】
挟部３２は、押付用柱状部材４０と静止用柱状部材４２とを有する。押付用柱状部材４０と静止用柱状部材４２とは互いに対向している。押付用柱状部材４０は押付突起５０を有する。押付突起５０は静止用柱状部材４２に対向している。静止用柱状部材４２は噛合突起６０と摩擦面６２と脚部６４とを有する。噛合突起６０は押付用柱状部材４０に対向している。摩擦面６２は押付用柱状部材４０に対向する平面である。脚部６４は静止用柱状部材４２の一端から突出する。脚部６４は、２本のコルゲート管１００，１００を連結している連結具２０を図示しない平板上に連結具２０を置いたとき、コルゲート管１００，１００と連結具２０全体とを支える。
【００２６】
［連結具の使用方法］
図２は、本実施形態にかかる連結具２０を用いて２本のコルゲート管１００，１００を接続したときのそれらの断面図である。図２を参照しつつ、本実施形態にかかる連結具２０の使用方法を説明する。
【００２７】
まず、作業者は、周知の結束バンド１２０に連結具２０の基部３０の貫通路４４を貫通させる。貫通路４４を結束バンド１２０が貫通したら、作業者は、２本のコルゲート管１００，１００を貫通するワイヤハーネスのうちコルゲート管１００，１００の間にあたる箇所の外周にその連結具２０を接触させる。言うまでもないことであるが、ワイヤハーネスとは配線１１０の束のことである。ワイヤハーネスの外周にその連結具２０を接触させたら、作業者は、上述した結束バンド１２０でそのワイヤハーネスを結束する。このとき、基部３０の移動制限部４６が結束バンド１２０の動きを抑える。その結果、ワイヤハーネスへ連結具２０がしっかりと縛り付けられることになる。
【００２８】
ワイヤハーネスが結束されたら、作業者は、ワイヤハーネスが貫通するコルゲート管１００，１００のうち一方の端部に連結具２０の挟部３２の一方を差込む。このとき、その挟部３２の押付用柱状部材４０はそのコルゲート管１００の内周に進入する。進入の結果、押付用柱状部材４０の押付突起５０はコルゲート管１００の谷部１０４の内周面を押さえつける。その挟部３２の静止用柱状部材４２はそのコルゲート管１００の外周面を進む。外周面を進んだ結果、コルゲート管１００の谷部１０４に静止用柱状部材４２の噛合突起６０が噛合う。コルゲート管１００の山部１０２の外周面に静止用柱状部材４２の摩擦面６２が接触する。これにより、挟部３２がコルゲート管１００の端部を挟んでいることとなる。
【００２９】
挟部３２のうち一方がコルゲート管１００のうち一方の端部を挟んだら、作業者は、ワイヤハーネスが貫通するコルゲート管１００，１００のうち他方の端部に連結具２０の挟部３２の他方を差込む。そのための具体的な手順は上述したものと同様である。これが完了することにより、本実施形態にかかる連結具２０を用いたコルゲート管１００，１００の接続が完了する。
【００３０】
［本実施例にかかる連結具の効果］
以上のようにして、本実施形態にかかる連結具２０によれば、コルゲート管１００の端部に挟部３２を差込むという簡単な操作によって、２本のコルゲート管１００，１００を連結することができる。１種類の連結具２０によってサイズが異なる何種類ものコルゲート管１００，１００同士を接続することができる。互いにサイズが違うコルゲート管を接続することも容易である。
【００３１】
［変形例の説明］
今回開示された実施例はすべての点で例示である。本発明の範囲は上述した実施例に基づいて制限されるものではなく、本発明の趣旨を逸脱しない範囲で種々の設計変更をしてもよいのはもちろんである。
【００３２】
たとえば、図３は、変形例にかかる連結具２２の斜視図である。この連結具２２は、引掛部３４を備える。引掛部３４は孔を有する板（図示せず）のその孔を貫通してその孔の縁に引っ掛かる。連結具２２が引掛部３４を備えることにより、連結具２２を板に取付けることができる。引掛部３４の構成そのものは周知なのでここではその詳細な説明は繰り返さない。
【００３３】
また、連結具２０，２２が備える挟部３２の数は限定されない。すなわち、連結具２０，２２は３つ以上の挟部３２を備えていてもよい。また、基部３０の貫通路４４は設けられていなくともよい。また、脚部６４はなくともよい。また、挟部３２が有する柱状部材４０，４２の本数は２本に限らない。挟部はある空間を取囲んで互いに対向するよう配置される３本以上の柱状部材を有していてもよい。さらに、挟部３２は柱状部材に代えて湾曲した部材を有していても良い。
【００３４】
また、柱状部材が有する突起の役割は上述したものと入れ替わっていてもよい。すなわち、コルゲート管１００の内周側に進入する柱状部材に噛合突起６０が設けられてもよい。コルゲート管１００の外周側を進む柱状部材に押付突起５０が設けられてもよい。挟部３２が有する柱状部材の双方に同一の役割を持つ突起が設けられてもよい。すなわち、挟部３２が有する柱状部材の双方が押付突起５０を有していてもよいし、挟部３２が有する柱状部材の双方が噛合突起６０を有していてもよい。
【符号の説明】
【００３５】
２０，２２…連結具、
３０…基部、
３２…挟部、
３４…引掛部、
４０…押付用柱状部材、
４２…静止用柱状部材、
４４…貫通路、
４６…移動制限部、
５０…押付突起、
６０…噛合突起、
６２…摩擦面、
６４…脚部、
１００…コルゲート管、
１０２…山部、
１０４…谷部、
１１０…配線、
１２０…結束バンド、
【図１】
2012253863.tif 000003
【図２】
2012253863.tif 000004
【図３】
2012253863.tif 000005